(57)【要約】【解決手段】時間追跡ループの一部であるタイミング弁別器内で生じるタイミングのためのプロセスおよび装置。タイミング弁別はレーキ指がマージするのを防止する。タイミング弁別器のためのプロセスは、入力信号に接続される。プロセスは、入力信号の早いサンプル、定刻サンプル、および遅いサンプルを収集することにより始まる。早いパラメータ、定刻パラメータ、および遅いパラメータがサンプルに応答して派生される。タイミング弁別器出力は、早いパラメータ、定刻パラメータ、および遅いパラメータ間の所定の関係に応答して発生される。プロセスと装置は、レーキ指が自由にそれらの経路を追跡することを可能にする。これは受信器の性能を改良する。【選択図】図２
2004523969.tif 000002
【特許請求の範囲】
【請求項１】
下記を具備する、入力信号に接続されたタイミング弁別器におけるタイミング弁別の方法：
前記入力信号の早いサンプル、定刻サンプル、および遅いサンプルを収集する；
それぞれ、早いサンプル、定刻サンプルおよび遅いサンプルに応答して速いパラメータ、定刻パラメータ、および遅いパラメータを派生する；および
前記早いパラメータ、定刻パラメータ、および遅いパラメータ間の所定の関係に応答してタイミング弁別器の出力をゼロに設定する。
【請求項２】
前記タイミング弁別器は、タイムトラッキングループで使用される、請求項１の方法。
【請求項３】
前記早いパラメータ、定刻パラメータ、および遅いパラメータ間の所定の関係は「（β・早い）ＯＲ（β・遅い）＞定刻」として表され、βは設計パラメータ数であり、アプリケーション特有である。
【請求項４】
前記早いパラメータ、定刻パラメータおよび遅いパラメータは、それぞれ早いサンプル、定刻サンプル、および遅いサンプルの単調関数である、請求項１の方法。
【請求項５】
前記所定の関係が満足されないとき、前記タイミング弁別器の出力を早い−遅いの結果に設定する工程をさらに含む、請求項１の方法。
【請求項６】
前記タイミング弁別器の出力に応答してレーキ受信器の指を移動する工程をさらに含む、請求項５の方法。
【請求項７】
入力信号に接続されたタイミング弁別器におけるタイミング弁別の方法であって、前記タイミング弁別器は信号経路を追跡するための複数の指を持つレーキ受信器の一部であり、前記方法は、下記を具備する：
それぞれ早いパラメータ、定刻パラメータ、および遅いパラメータを派生するために使用される早いサンプル、定刻サンプルおよび遅いサンプルを収集する；
パラメータβを選択する；および
量（β・早い）および（β・遅い）を計算することによりタイミング弁別出力を発生する；
（β・早い）または（β・遅い）が定刻パラメータより大きければ、前記タイミング弁別出力をゼロに設定する；
（β・早い）または（β・遅い）が定刻パラメータ以下なら、前記タイミング弁別出力を早い−遅いの結果に設定する。
【請求項８】
前記タイミング弁別器は時間−追跡ループで使用される、請求項７の方法。
【請求項９】
βは、前記レーキ受信器の指間の距離の関数として選択される、請求項７の方法。
【請求項１０】
βは、前記レーキ受信器の指間の距離の関数として、時間に対して動的に変化する、請求項９の方法。
【請求項１１】
前記指間の距離が減少するにつれβの値が増加する、請求項１０の方法。
【請求項１２】
前記指間の距離が増加するにつれβの値が減少する、請求項１０の方法。
【請求項１３】
下記を具備する、複数のシンボルから構成される入力信号を有するタイミング弁別器：
前記入力信号の早いサンプル、定刻サンプル、および遅いサンプルを収集する手段；
それぞれ、早いサンプル、定刻サンプル、および遅いサンプルに応答して速いパラメータ、定刻パラメータ、および遅いパラメータを派生する手段；および
前記早いパラメータ、定刻パラメータ、および遅いパラメータ間の所定の関係に応答して前記タイミング弁別器出力をゼロに設定する手段。
【請求項１４】
前記早いパラメータ、定刻パラメータ、および遅いパラメータ間の前記所定の関係は「（β・早い）ＯＲ（β・遅い）＞定刻」から構成される、但しβは設計パラメータ数であり、アプリケーション特有である、請求項１３の装置。
【請求項１５】
下記を具備する移動通信装置：
指を用いて、複数の経路上の受信された信号を追跡するためのレーキ受信器、各経路には前記複数の指の別個の指が割当てられ、前記受信器は前記指の移動を制御するタイミング弁別器を有する時間追跡ループを具備し、前記タイミング弁別器はさらに、
入力信号の早いサンプル、定刻サンプル、および遅いサンプルを収集する手段；
それぞれ早いサンプル、定刻サンプル、および遅いサンプルに応答して速いパラメータ、定刻パラメータ、および遅いパラメータを派生する手段；および
前記早いパラメータ、定刻パラメータ、および遅いパラメータ間の所定の関係に応答して前記タイミング弁別出力をゼロに設定する手段；
を具備する。
【請求項１６】
前記早いパラメータ、定刻パラメータ、および遅いパラメータ間の前記所定の関係は、「（β・早い）ＯＲ（β・遅い）＞定刻」から構成される、但しβは設計パラメータ数であり、アプリケーション特有である、請求項１５の移動通信装置。
【請求項１７】
チャネルを介して符号分割多重アクセス出力信号を変調する送信器をさらに具備する、請求項１５の移動通信装置。
【請求項１８】
前記受信された信号は、符号分割多重アクセス信号である、請求項１５の移動通信装置。
【請求項１９】
無線通信ネットワークに使用するのに適した基地局受信器において、レーキ受信器が指を用いて複数の経路上の受信された信号を追跡し、各経路には、前記複数の指のうちの別個の指が割当てられ、前記受信器は、前記指の移動を制御するタイミング弁別器を有する時間追跡ループを具備し、前記タイミング弁別器はさらに、
入力信号の早いサンプル、定刻サンプル、および遅いサンプルを収集する手段；
それぞれ早いサンプル、定刻サンプル、および遅いサンプルに応答して、速いパラメータ、定刻パラメータ、および遅いパラメータを派生する手段；および
前記早いパラメータ、定刻パラメータ、および遅いパラメータ間の所定の関係に応答して前記タイミング弁別器出力をゼロに設定する手段；
を具備する。
【請求項２０】
前記早いパラメータ、定刻パラメータ、および遅いパラメータ間の前記所定の関係は「（β・早い）ＯＲ（β・遅い）＞定刻」から構成される、但しβは設計パラメータ数であり、アプリケーション特有である、請求項１９の移動通信装置。
【請求項２１】
下記を具備する、タイミング差分を示す入力信号に接続された時間追跡ループ：
前記入力信号に接続され、残差信号を発生する前進／遅延機構；
前記前進／遅延機構に接続され、前記残差信号に応答して推定された残差信号を発生するタイミング弁別器、前記タイミング弁別器はさらに、
前記残差信号の早いサンプル、定刻サンプル、および遅いサンプルを収集する手段；
それぞれ早いサンプル、定刻サンプル、および遅いサンプルに応答して速いパラメータ、定刻パラメータ、および遅いパラメータを派生するための手段；および
前記早いパラメータ、定刻パラメータ、および遅いパラメータ間の所定の関係に応答して前記タイミング弁別器出力をゼロに設定する手段；
前記タイミング弁別器に接続され、前記タイミング弁別器出力を濾波し、濾波された弁別器値を発生するフィルタ；
前記フィルタに接続され、複数の濾波された弁別器値の蓄積に応答して蓄積された弁別器の値を発生するアキュムレータ；
前記アキュムレータに接続され、前記蓄積された弁別器の値に応答して前記制御信号を発生するオーバーフロー／アンダーフロー検出器；
を具備する。
【請求項２２】
前記タイミング差分は、追跡される信号の送信と、追跡される信号の受信との間の時間である、請求項２１の装置。
【請求項２３】
前記オーバーフロー／アンダーフロー検出器は、前記蓄積された弁別器の値が所定のレンジを越えると、オーバーフロー信号を発生する、請求項２１の装置。
【請求項２４】
前記オーバーフロー／アンダーフロー検出器は、前記蓄積された弁別器の値が所定のレンジ以下のとき、アンダーフロー信号を発生する、請求項２１の装置。
【発明の詳細な説明】
【関連出願の引用】
【０００１】
［０００１］この出願は、２００１年、３月１２日に出願された米国仮特許出願第６０／２７５，２５３の利益を請求する。
【０００２】
発明の背景
【技術分野】
【０００３】
［０００２］
［０００３］この発明は、一般に通信に関する。特に、この発明は通信環境におけるタイミング弁別に関する。
【背景技術】
【０００４】
［０００４］
［０００５］従来のレーキ(Rake)受信器は「指」として知られる相関器を用いて受信した信号に関して動作する。レーキ受信器は、各所望のマルチパス成分の複素チャネル係数に基づいて、コヒーレントに指出力を結合する。複素チャネル係数は、公知の方法で周期的に送信されたトレーニング系列から得ることができる。
【０００５】
［０００６］符号分割多重アクセス（ＣＤＭＡ）システムにおいて、複数の指を異なる信号経路に割当てることが知られている。各指は閉ループ、閉ループに関連するタイムトラッキング(time tracking)ループ（ＴＴＬ）を用いてその割当てられた経路を追跡し、その位置を制御する。
【０００６】
［０００７］経路が互いに十分に近づくと、個々の経路を追跡する指のＴＴＬは失われた指をマージさせる。マージングは、不利なフェージング条件により、例えば１つの指がもともと追跡していた経路を放棄し、すでに他の指により追跡されている経路の追跡を開始することを意味する。
【０００７】
［０００８］指をマージングから回避するために、簡単な早い−遅いタイミング弁別器を使用することが知られている。このタイミング弁別器の出力は、指の現在の位置から最大１チップまで離れてもよい経路を、関連するＴＴＬが「引き込み」可能にする。この概念は図１に図解される。
【０００８】
［０００９］図１は時間に対する受信フィルタの出力のプロットを示す。定刻サンプルの期間、ピークにある波形をサンプルすることは最良であろう。しかしながら、これは常に達成できないので、定刻サンプルより前のチップ時間のほぼ半分の時点（Ｔｃ／２）で早いサンプルが取られ、定刻サンプルの後のチップ時間のほぼ半分の時点で遅いサンプルが取られる。
【０００９】
［００１０］早いサンプルマイナス遅いサンプル（Ｅ−Ｌ）がゼロに等しいなら、Δｔｒｅｓ＝０である。Ｅ−Ｌ＜０ならΔｔｒｅｓ＜０であり、サンプルがあまりにも早く取られたことを示す。Ｅ−Ｌ＞０なら、Δｔｒｅｓ＞０であり、サンプルがあまりにも遅く取られたことを示す。
【００１０】
［００１１］第１の経路のための図１の曲線が第２の経路のための同じ曲線と重複しないように経路が十分離れている間だけ、早い−遅いタイミング弁別器は正常に動作する。フェージングにより経路の一方が他方の経路よりはるかに弱い時間がある場合がある。これが起きると、両方の指のタイミング弁別器は両方の指をより強い経路の方向へ引っ張るであろう。この条件が十分長く続くなら、弱い経路を追跡するために使用される指は強い指の方向に移動を開始するであろう。最終的には、フェージング条件は指がマージするまで指をお互いに近づき合わせて移動するであろう。指がマージされると、タイミング弁別器出力は同一であるので、分離することはできない。
【００１１】
［００１２］複数の指による単一経路の追跡は多くの理由により望ましくない状態である。１つの経路上で、２以上の指が現在無駄に費やされている。また、「放棄した」経路からのエネルギーは、この経路を追跡していた指が他の経路と現在マージされているので、失われる。
【００１２】
［００１３］マージされた指はまたより微妙なやり方で性能を劣化させる。例えばマージされた指はレーキ受信器の性能を改良しないだけでなく、電力制御のために使用されるＥc／ＮIまたはＥc／Ｉo推定の一因となるであろう。これは、移動局が基地局に対して送信電力を増大するように要求する結果となる。他の指が結合されるなら、これは、経路を追跡するマージされた指を用いてその経路を偏って重み付けする。
【００１３】
［００１４］レーキ指マージを回避することにより、信号対雑音比の関数としてシステムのフレームエラーレート（ＦＥＲ）により測定されるように向上される。結果として、レーキ指マージを防止し、プロセッサが指の動作とインターフェースしなければならない周波数を大幅に低減するために指が自由にそれらの経路を追跡可能とする必要性がある。
【発明の開示】
【課題を解決するための手段】
【００１４】
［００１５］この発明はレーキ指マージを防止するタイミング弁別のためのプロセスと装置を包含する。タイミング弁別のためのプロセスは、時間追跡ループの一部であるタイミング弁別器において生じる。タイミング弁別器は入力信号に接続される。
【００１５】
［００１６］プロセスは入力信号の早いサンプル、定刻サンプル、および遅いサンプルを集めることにより開始する。次に、早いパラメータ、定刻パラメータ、および遅いパラメータはそのサンプルに応答して派生される。
【００１６】
［００１７］タイミング弁別器出力は、早いパラメータ、定刻パラメータ、および遅いパラメータ間の所定の関係に応答して発生される。好適実施の形態において、この関係は以下のように表される。
【００１７】
もし（β・早い＞定刻）ＯＲ（β・遅い＞定刻）なら、
ＴＤ＝０
そうでなければ、
ＴＤ＝早い−遅い
【発明の効果】
【００１８】
［００１８］それゆえ、この発明はレーキ指が自由にそれらの経路を追跡することを可能にする。これは受信器の性能を改良する。
【発明を実施するための最良の形態】
【００１９】
「００２５」この発明は、レーキ指がマージするのを防止することにより改良された性能を有した通信装置を提供する。これは、隣接する経路から干渉を遮るタイミング弁別器を用いることにより達成される。
【００２０】
［００２６］図２はこの発明の一実施の形態に従うタイミング弁別器を有するＴＴＬのブロック図を図解する。ＴＴＬはその経路を追跡する指を維持するために指からの入力を使用する。送信された信号が送信されたときとそれが受信されたときとの間の相違はそれ以降Δｔと呼ばれる。
【００２１】
［００２７］この相違の推定値は
【数１】
2004523969.tif 000003
【００２２】
と呼ばれ、すなわち、その経路を正しく追跡するためにその指がどこにあるべきかの推定値である。この推定値は、受信器のタイミングを正しいタイミングに合わせようとするいくつかの前進／遅延コマンドの発行により暗黙のうちに反映される。この前進／遅延機構の効果は
【数２】
2004523969.tif 000004
【００２３】
がΔｔから効果的に減算（２０１）され、その信号にΔｔresと呼ばれる残差を残しておくことである。この残差タイミングエラーΔｔresはタイミング弁別器（２０５）に入力される。
【００２４】
［００２８］例示的な実施の形態において、タイミング弁別器（２０５）は指がどこに配置されるかを制御するために入力信号内の残差を推定する。タイミング弁別器（２０５）の出力
【数３】
2004523969.tif 000005
【００２５】
は、推定された残差を濾波する一次フィルタ（２１０）に入力される。
【００２６】
［００２９］濾波された信号は、オーバーフロー条件またはアンダーフロー条件に到達するまで誤差を加算するアキュムレータ（２１５）に入力される。アキュムレータ（２１５）出力が所定の誤差レンジを越えるとオーバーフロー条件に到達する。この場合、前進信号は、指を時間的に前進させる方向に移動させるオーバーフロー／アンダーフロー検出（２２０）により発行される。この場合、遅延信号は、指を時間的に後退させる方向に移動させるオーバーフロー／アンダーフロー検出（２２０）により発行される。次に閉ループＴＴＬはその経路を追跡するために上述のように続く。
【００２７】
［００３０］オーバーフローまたはアンダーフロー条件の検出はＴＴＬのハードウエア実施におけるスケーリングに依存する。例示的な実施の形態において、−２５６乃至２５６のレンジが使用される。しかしながら、他の実施の形態は、ＴＴＬデータ経路が異なる尺度をもつなら、他のレンジを使用する。
【００２８】
［００３１］この発明のタイミング弁別器（２０５）は隣接する経路からの干渉を効果的に遮る。これは、従来のタイミング弁別器方法論の大きな引き込みレンジに比べて低減された引き込みレンジを用いて達成される。
【００２９】
［００３２］上で説明したように、大きな引き込みレンジは指をマージさせる要因の１つである。比較すると、タイミング弁別器が小さな引き込みレンジを使用するなら、一方の経路が弱くなると、他方の「閉」経路は弱い経路の指を引き込むことができない。フェージング条件が変化するにつれ、２つの指は追跡することになっている経路によってのみ影響を受ける。
【００３０】
［００３３］例示的な実施の形態のタイミング弁別器（ＴＤ）は以下のように表すことができる。
【００３１】
（β・早い＞定刻）ＯＲ（β・遅い＞定刻）ならば
ＴＤ＝０
そうでなければ
ＴＤ＝早い−遅い
但し、早いおよび遅いは、それぞれ早いチップサンプルおよび遅いチップサンプルの大きさの単調関数である。定刻は、定刻チップサンプルの大きさの単調関数である。βは、ある負でない数であり、以下に述べるようにアプリケーション毎に変化する設計パラメータであると考えられる。
【００３２】
［００３４］上のプロセスは、β×早いチップサンプルの大きさの値が定刻チップサンプルの大きさより大きければ、タイミング弁別器の出力はゼロであることを示す。同様に、β×遅いチップサンプルの大きさの値が定刻チップサンプルの大きさより大きければ、タイミング弁別器の出力は同様にゼロである。そうでなければ、タイミング弁別器の出力は上述したように早い−遅いプロセスと同じである。
【００３３】
［００３５］タイミング弁別器の上の定義から、β＝０なら、その出力は、標準的な早い−遅い弁別器と同じである。βが増加するにつれ、引き込みレンジは減少する。βを用いて、引き込みレンジはアプリケーションに対して必要であるのと同じくらい小さくすることができる。
【００３４】
［００３６］βの最適値の選択はアプリケーションに依存する。例えば、監視される移動局が迅速に移動しているかもしれない場合に、基地局によるタイミング弁別を含むアプリケーションにおいて、移動局がゆっくり移動していたなら、βの値は異なるかもしれない。それゆえ、特定のアプリケーションに対して最適値を決定するために、例えば、実地試験によってβの値を選択する必要があるかもしれない。
【００３５】
［００３７］他の実施の形態において、βの値は動的であり、時間とともに変化する。この実施の形態の実施は、サーチャー（新しい経路を見つけるプロセス）が新しい経路を発見し、指割当てアルゴリズムが新しい指をその新しい経路に割当てるようにである。近くに他の指が無いなら、βは最初にゼロにセットされる。これは引き込みレンジを最大にする。近くに（例えば±２チップ以内に）他の指が無いなら、βの値は同じ状態のままである。
【００３６】
［００３８］しかしながら、サーチャーが他の経路に近い経路を発見し、指割当てアルゴリズムが指をその経路に割当てるなら、βの値は増加するであろう、従って、両方のための引き込みレンジを低減する。
【００３７】
［００３９］他の実施の形態において、βは隣接する指間の距離の関数として変化する。指割当てアルゴリズムが互いにより近づきあう指を割当てるにつれ、βは引き込みレンジを低減するために増加する。これは指のためのマージ保護を効果的に実施する。典型的なＣＤＭＡレーキ受信器アーキテクチャにおいて、経路はせいぜい０．０４チップ／フレーム移動するので、プロセッサはβの値をしばしば変化させる必要がないかもしれない。与えられた情況に対してβのための最適な必要な値は、現場実験および試行錯誤により決定してもよいことが理解されねばならない。
【００３８】
［００４０］従来の早い−遅いタイミング弁別器の動作と利点に対してここに記載したタイミング弁別器の動作と利点は図３および図４に図解される。図３はチップオフセットに対するタイミング弁別器出力のプロットを図解する。この図は、２つの経路が互いに近づきあうにつれ、それぞれのタイミング弁別器の出力がどのように変化するかを図解しようとしたものである。
【００３９】
［００４１］図３のはっきりとしたプロットは経路１がチップオフセット０に位置し１の大きさを持つと仮定する。経路２はチップオフセット１に位置し、０．２の大きさを有する。従来（通常のＴＤ）技術のタイミング弁別器出力（３０１）は、経路１に割当てられた指が公知の早い−遅いＴＤ方法を用いてより強い経路２にマージされるように重複する経路２として示される。
【００４０】
［００４２］ここに記載された改良されたタイミング弁別器の動作の出力（３０５）は、その出力のより鋭い下落により示される非常に小さな引き込みレンジを有する。この場合、改良された（新しい）タイミング弁別器は経路２を認識さえもしない。従って指が経路１から経路２にマージする傾向は実質的に取り除かれている。
【００４１】
［００４３］図４は異なるフェージング条件下でのこの発明の動作と利点の他の例を図解する。このパイロットの経路１はチップオフセット０に位置し、０．２の大きさを有する。経路２はチップオフセット１に位置し、１の大きさを有する。このプロットは、経路２が経路１を支配し始めたとき、タイミング弁別器出力（新しいものと通常のもの）がどのように変化するかを示す。より大きな引き込みレンジを有するタイミング弁別器のプロット（４０１）において、指はマージし始めるように示される。タイミング弁別器の出力のプロット（４０５）は、指は、指が追跡されることになっている経路によってのみ影響を受け、マージ条件に向かう傾向は無い。
【００４２】
［００４４］ここに記載されるように動作するタイミング弁別器を有したＴＴＬを内蔵する移動局のブロック図を図５に図解する。移動局はアンテナ（５０３）に接続された送信器（５０２）と受信器（５０１）から構成される。送信器は、送信のためにマイクロフォン（５０５）からの聴覚の信号を変調する。いくつかの場合において、通信装置のタイプに応じて、送信器（５０２）または他の装置は、変調前にマイクロフォンからの聴覚信号をデジタル化してもよい。次に、アンテナ（５０３）はその信号を意図された送信先に放射する。
【００４３】
［００４５］受信器（５０１）は改良されたタイミング弁別器を有するＴＴＬから構成される。受信器はアンテナ（５０３）を介して受信した信号の受信と復調を担う。ＴＴＬは上述したように受信器内で使用する。いくつかの通信装置において、受信器はスピーカ（５０６）による放射のために受信したデジタル信号のアナログの同等物への変換を担う。
【００４４】
［００４６］通信装置は、マイクロプロセッサまたは他の制御装置のようなプロセッサ（５０４）により制御される。プロセッサは送信器（５０２）機能および受信器（５０１）機能に接続されそれらを制御する。例えば、プロセッサは正しい追跡のために指を監視するために使用してもよいし、およびサーチャーアルゴリズムおよび指割当てアルゴリズムを実行するように使用してもよい。
【００４５】
［００４７］ディスプレイ（５０７）およびキーパッド（５０８）はキーパッド（５０８）上でユーザにより入力された情報を表示するためにプロセッサ（５０４）に接続される。例えばユーザはキーパッド（５０８）を用いて電話番号を入力し、その電話番号は、ディスプレイ（５０７）に表示され、その後、送信器（５０２）を用いて基地局に送信される。
【００４６】
［００４８］一実施の形態において、通信装置は、上述した方法に従って動作し構成されるＴＴＬおよびタイミング弁別器を内蔵するセルラ式電話である。通信能力を有したパーソナルデジタルアシスタント、通信能力を有したコンピュータ等も考慮される。
【００４７】
［００４９］上述したタイミング弁別器はまた基地局受信器の性能を改良するために基地局に内蔵してもよい。改良されたタイミング弁別器を有するＴＴＬを内蔵する基地局のブロック図を図６に図解する。基地局は、基地局が接続されるネットワークからの信号を受信する送信器（６０１）から構成される。送信器（６０１）は信号を変調し、アンテナ（６０５）を介して、適当な電力レベルでその信号を送信する。
【００４８】
［００５０］受信された信号はアンテナ（６０５）により受信され、改良されたタイミング弁別器を有するＴＴＬから構成される受信器（６０３）に配信される。受信器（６０３）は受信した信号の周波数を追跡し、どんな適当な信号も復調する。復調された信号は基地局に接続されたネットワークを介して適当な送信先に送信される。
【００４９】
［００５１］プロセッサ（６０４）は送信器と受信器両方の制御を含む基地局の動作を制御する。プロセッサは、指割当てアルゴリズムとサーチャーの実行を担う。
【００５０】
［００５２］好適実施の形態において、図６に図解する基地局はセルラ環境で動作する。他の実施の形態において、基地局は、移動、無線通信装置を固定のインフラストラクチャと通信可能にするいかなる基地局であってもよい。
【００５１】
［００５３］要約すれば、タイミング弁別器、その構成、機能および動作およびその他の実施の形態について上述した。ＴＤは指を移動するという改良された方法によってマージ保護を実施するためのプロセッサの必要性を大幅に低減する。種々の指は、それらの真のタイミングを追跡することが可能なので、ＴＤは、また、外部的に課せられたマージ保護に対して性能を改良する。この解決法は、指がマージすることを防止するために、指が移動することを単に防止するアプローチとは完全に異なる。
【００５２】
［００５４］ＴＤは内蔵のファットパス(fat-path)（１チップよりも近づき合っている２以上の物理経路）検出を供給する。１つの経路しかないなら、弁別器出力は（引き込みレンジを除く）早い−遅い弁別器と同じである。しかしながら、互いに近づき合っている２つの経路があるとき、提案されたタイミング弁別器は隣接経路からの干渉を自動的に遮る。
【００５３】
［００５５］タイミング弁別器が外部の指監視と組み合わせて使用されるなら、性能はさらにもっと高められる。この場合、指は、早い−遅いシナリオにおいてよりもより正確に経路を追跡するので、外部指監視の周波数は低減される。
【００５４】
［００５６］留意すべきは、上述したすべての実施の形態において、方法ステップはこの発明の範囲を逸脱することなく置き換えることができる点である。
【００５５】
［００５７］当業者、情報および信号が、いろいろな異なるテクノロジーおよびテクニックのいずれかを用いて表すことができることを理解するであろう。例えば、上述の記載の全体に渡って参照してもよいデータ、命令、コマンド、情報、信号、ビット、記号、およびチップは、電圧、電流、電磁波、磁界、磁性粒子、光学界、光学粒子、またはそれらのいずれかの組合せにより表現することができる。
【００５６】
［００５８］当業者は、ここに開示した実施の形態に関連して記載した種々の実例となる論理ブロック、モジュール、回路、およびアルゴリズムステップは、電子ハードウエア、コンピュータソフトウエアまたは両者の組合せとして実施してもよいことを理解するであろう。ハードウエアとソフトウエアのこの互換性を明瞭に説明するために、種々の実例となる部品、ブロック、モジュール、回路、およびステップは一般にそれらの機能性の点から上述した。そのような機能性がハードウエアとして実施されるかまたはソフトウエアとして実施されるかは、特定の応用および全体のシステムに課せられた設計制約に依存する。当業者は、記載した機能性を各特定のアプリケーションに対して、種々の方法で実施することができるが、そのような実施の判断はこの発明の範囲から逸脱するものとして解釈されるべきでない。
【００５７】
［００５９］ここに開示した実施の形態に関連して記載した種々の実例となる論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、ディスクリートゲートまたはトランジスタロジック、ディスクリートハードウエア部品、または、ここに記載した機能を実行するように設計されたそれらの組合せのいずれかを用いて実現または実行してもよい。汎用プロセッサはマイクロプロセッサであってよいが、別の方法では、プロセッサは、いかなる一般的プロセッサ、コントローラ、マイクロコントローラ、または状態機械であってもよい。プロセッサはまた、計算装置の組合せ、例えばＤＳＰとマイクロプロセッサの組合せ、複数のマイクロプロセッサ、ＤＳＰコアとともに１つ以上のマイクロプロセッサ、またはいずれかの他のそのような構成として実現してもよい。
【００５８】
［００６０］ここに開示した実施の形態に関連して記載した方法またはアルゴリズムのステップは、直接ハードウエアで、プロセッサにより実行されるソフトウエアモジュールで、あるいは２つの組合せで具現化してもよい。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、脱着可能ディスク、ＣＤ−ＲＯＭ、または技術的に知られているその他のいずれかの形態の記憶媒体に存在することができる。実例となる記憶媒体は、プロセッサが記憶媒体から情報を読み出すことができ、記憶媒体に情報を書き込むことができるようにプロセッサに接続される。別の方法では、記憶媒体はプロセッサに一体化してもよい。プロセッサと記憶媒体はＡＳＩＣに存在してもよい。ＡＳＩＣはユーザ端末に存在してもよい。
【００５９】
［００６１］別の方法では、プロセッサと記憶媒体は、ユーザ端末内のディスクリート部品として存在してもよい。開示された実施の形態の上述した記載は当業者がこの発明を製作または使用可能にするために提供される。これらの実施の形態に対する種々の変形例は当業者には容易に明白であろう、そしてここに定義される包括的原理は、この発明の精神または範囲を逸脱することなく他の実施の形態に適用可能である。従って、この発明はここに示した実施の形態に限定されることを意図したものではなく、ここに開示された原理および新規な特徴に一致する最も広い範囲が許容されるべきである。
【図面の簡単な説明】
【００６０】
【図１】［００１９］図１は早い−遅いタイミング弁別を記載するためにチップ数に対する典型的な従来技術の受信器フィルタの出力のプロットを示す。
【図２】［００２０］図２はこの発明の一実施の形態に従うタイミング弁別器を利用する時間追跡ループのブロック図を示す。
【図３】［００２１］図３は従来のタイミング弁別器に対する図２のタイミング弁別器の出力の比較プロットを示す。
【図４】［００２２］図４は異なるセットのフェージング条件の下で従来のタイミング弁別器に対する図２のタイミング弁別器の出力の比較プロットを示す。
【図５】［００２３］図５は移動局のブロック図を示す。
【図６】［００２４］図６は基地局のブロック図を示す。
【図１】
2004523969.tif 000006
【図２】
2004523969.tif 000007
【図３】
2004523969.tif 000008
【図４】
2004523969.tif 000009
【図５】
2004523969.tif 000010
【図６】
2004523969.tif 000011
【国際公開パンフレット】
2004523969.tif 000012
2004523969.tif 000013
2004523969.tif 000014
2004523969.tif 000015
2004523969.tif 000016
2004523969.tif 000017
2004523969.tif 000018
2004523969.tif 000019
2004523969.tif 000020
2004523969.tif 000021
2004523969.tif 000022
2004523969.tif 000023
2004523969.tif 000024
2004523969.tif 000025
2004523969.tif 000026
2004523969.tif 000027
2004523969.tif 000028
2004523969.tif 000029
2004523969.tif 000030
2004523969.tif 000031
2004523969.tif 000032
2004523969.tif 000033
2004523969.tif 000034
2004523969.tif 000035
【国際調査報告】
2004523969.tif 000036
2004523969.tif 000037
2004523969.tif 000038